(57)【特許請求の範囲】
【請求項１】
青色のＬＥＤ素子と、前記ＬＥＤ素子を覆って青緑の波長域の光を発する第１蛍光体及び赤又は橙色の波長域の光を発する第２蛍光体を含有する蛍光体とで構成され、白色光を照射する白色光源部を備えた照明装置において、
前記白色光源部から照射される光のスペクトル特性は、青色の波長領域である４４０ｎｍ〜４８０ｎｍの範囲に前記ＬＥＤ素子の第１のピークと、青緑色の波長域に前記第１蛍光体の第２のピークと、赤又は橙色の波長域に前記第２蛍光体の第３のピークとを有し、青色の波長領域の内で半値幅が５０ｎｍより狭い第１のピーク波長が存在し、青緑色の波長域の内で５０５ｎｍよりも長い範囲に半値幅が５０ｎｍより狭い第２のピーク波長が存在し、赤又は橙色の波長域の内で６１０ｎｍ〜６５０ｎｍの範囲に半値幅が８０ｎｍ〜２００ｎｍの範囲とされる第３のピーク波長が存在し、前記第２のピーク波長の相対発光強度が第１のピーク波長の相対発光強度の６倍より小さく、前記第２のピーク波長の相対発光強度が第３のピーク波長の相対発光強度の３倍より小さく、前記第３のピーク波長の相対発光強度が第１のピーク波長の相対発光強度の３倍より小さい設定とされていることを特徴とする照明装置。
【請求項２】
請求項１に記載の照明装置において、
前記白色光源部は、前記第１のピーク波長が４４０ｎｍ〜４７０ｎｍの範囲とされ、前記第３のピーク波長における相対発光強度の半値幅が８０ｎｍ〜１９０ｎｍの範囲とされ、前記第２のピーク波長の相対発光強度が前記第１のピーク波長の相対発光強度の５倍より小さく、前記第３のピーク波長の相対発光強度が前記第１のピーク波長の相対発光強度の２倍より小さくなるように構成されることを特徴とする照明装置。
【請求項３】
請求項２に記載の照明装置において、
前記白色光源部は、前記第１のピーク波長における相対発光強度の半値幅が３０ｎｍより短く、前記第２のピーク波長における相対発光強度の半値幅が３０ｎｍより短く、前記第２のピーク波長の相対発光強度が前記第１のピーク波長の相対発光強度の３倍より小さく、前記第３のピーク波長の相対発光強度が前記第１のピーク波長の相対発光強度の１倍より小さくなるように構成されることを特徴とする照明装置。
【請求項４】
請求項２に記載の照明装置において、
前記白色光源部は、前記第１のピーク波長における相対発光強度の半値幅が３０ｎｍより短く、前記第２のピーク波長における相対発光強度の半値幅が３０ｎｍより短く、前記第３のピーク波長における相対発光強度のその半値幅が８０ｎｍ〜１５０ｎｍの範囲とされ、前記第２のピーク波長の相対発光強度が前記第１のピーク波長の相対発光強度の３倍より小さく、前記第３のピーク波長の相対発光強度が前記第１のピーク波長の相対発光強度の２倍より小さくなるように構成されることを特徴とする照明装置。
【請求項５】
請求項２に記載の照明装置において、
前記白色光源部は、前記第１のピーク波長が４４０ｎｍ〜４６０ｎｍの範囲でそのピーク波長における相対発光強度の半値幅が３０ｎｍより短く、前記第２のピーク波長における相対発光強度の半値幅が３０ｎｍより短く、前記第３のピーク波長が６１０ｎｍ〜６２０ｎｍの範囲でそのピーク波長における相対発光強度の半値幅が８０ｎｍ〜９０ｎｍの範囲とされ、前記第２のピーク波長の相対発光強度が前記第１のピーク波長の相対発光強度の２倍より小さく、前記第３のピーク波長の相対発光強度が前記第１のピーク波長の相対発光強度の１倍より小さくなるように構成されることを特徴とする照明装置。
【発明の詳細な説明】
【技術分野】
【０００１】
本発明は、照明装置に関するものである。
【背景技術】
【０００２】
蛍光灯や発光ダイオード（ＬＥＤ素子）等の種々の照明装置では、一般的に明るい環境（明所視）においては明所視輝度を高める様な設計がなされている。これは明所視において明るさを知覚する錐体を働かせるためであり、明所視輝度を高めることで人がより明るく知覚することができる。
【０００３】
しかしながら、夜間の街路空間や道路空間などの所謂薄明視においては、分光視感効率のピーク値が５５５ｎｍである前記錐体に加えて分光視感効率のピーク値が５０７ｎｍである桿体が働くため、明所視輝度だけを高めてもその効果は低い。
【０００４】
そこで、例えば特許文献１の照明装置では、人の網膜に存在する前記錐体及び桿体の両方が薄明視において働くことを考慮して、錐体及び桿体のそれぞれに効果が現れるように複数の光源を備えている。そして、その光源の内の少なくとも１つが前記桿体の分光視感効率のピーク波長である５０７ｎｍを含む波長領域となるようにピーク値が４５０〜５５０ｎｍの間となる構成とされる。
【０００５】
一方で、光の人への非視覚的作用として、光の波長と生体リズム、睡眠との関係に関する知見が報告されている（例えば、非特許文献１参照）。夜間の受光によるメラトニン分泌抑制の波長特性が明らかにされている。メラトニンとは、脳にある松果体から分泌されるホルモンであり、夜間の入眠前から睡眠前半の時間帯にかけて（個人差や生活リズムによって差があるが、午後１０時ごろから深夜にかけて）多く分泌され、体温の低下や入眠促進を促すと考えられている。
【０００６】
また、光放射の分光特性が、生物の行動特性に対して与える影響を評価する方法として、例えば、誘虫性指数を用いて、光放射による昆虫の誘引性を評価する方法が知られている（例えば非特許文献２参照）。
【先行技術文献】
【特許文献】
【０００７】
【特許文献１】特開２００８−９１２３２号公報
【非特許文献】
【０００８】
【非特許文献１】戸田直宏・野口公喜（２０１１）：実生活を想定した光曝露条件による夜間メラトニン分泌抑制効果、日本生理人類学会誌  Ｖｏｌ．１６，  Ｎｏ．１  ２０１１，２  ３９−４２
【非特許文献２】Ｂｉｃｋｆｏｒｄ，Ｅ．Ｄ．：“Ｂｉｏｌｏｇｉｃａｌ  Ｌｉｇｈｔｉｎｇ”，Ｉ．Ｅ．Ｓ．  Ｎａｔ．  Ｔｅｃｈ．  Ｃｏｎｆ．  Ｐａｐｅｒ，  Ｐｒｅｐｒｉｎｔ  Ｎｏ．２，  １９６４．
【発明の概要】
【発明が解決しようとする課題】
【０００９】
ところで、特許文献１の照明装置では、プルキンエ現象を考慮し、光源の分光分布を可視光のうち相対的に短波長成分を増すことで、薄明視環境下での明るさ感を改善しようとするものである。しかしながら、短波長光はメラトニン分泌抑制作用である生体作用度も大きくなる。また、多くの虫では視感度のピークは短波長領域であるため、短波長光の出力を相対的に増加させることは、誘虫性を高めてしまうこととなる。さらに、短波長成分を単純に増加させることは、演色性の面で好ましくない影響を及ぼす可能性があり、演色性も十分な配慮を行う必要がある。
【００１０】
本発明は、上記課題を解決するためになされたものであって、その目的は、薄明視環境下での明るさ感を改善しながら、生体（人）へのメラトニン抑制作用及び誘虫性を抑えつつ、演色性を向上させることが可能な照明装置を提供することにある。
【課題を解決するための手段】
【００１１】
上記課題を解決するために、本発明の照明装置は、青色のＬＥＤ素子と、前記ＬＥＤ素子を覆って青緑の波長域の光を発する第１蛍光体及び赤又は橙色の波長域の光を発する第２蛍光体を含有する蛍光体とで構成され、白色光を照射する白色光源部を備えた照明装置において、前記白色光源部から照射される光のスペクトル特性は、青色の波長領域である４４０ｎｍ〜４８０ｎｍの範囲に前記ＬＥＤ素子の第１のピークと、青緑色の波長域に前記第１蛍光体の第２のピークと、赤又は橙色の波長域に前記第２蛍光体の第３のピークとを有し、青色の波長領域の内で半値幅が５０ｎｍより狭い第１のピーク波長が存在し、青緑色の波長域の内で５０５ｎｍよりも長い範囲に半値幅が５０ｎｍより狭い第２のピーク波長が存在し、赤又は橙色の波長域の内で６１０ｎｍ〜６５０ｎｍの範囲に半値幅が８０ｎｍ〜２００ｎｍの範囲とされる第３のピーク波長が存在し、前記第２のピーク波長の相対発光強度が第１のピーク波長の相対発光強度の６倍より小さく、前記第２のピーク波長の相対発光強度が第３のピーク波長の相対発光強度の３倍より小さく、前記第３のピーク波長の相対発光強度が第１のピーク波長の相対発光強度の３倍より小さい設定とされていることを特徴とする。
【００１２】
また上記構成において、前記白色光源部は、前記第１のピーク波長が４４０ｎｍ〜４７０ｎｍの範囲とされ、前記第３のピーク波長における相対発光強度の半値幅が８０ｎｍ〜１９０ｎｍの範囲とされ、前記第２のピーク波長の相対発光強度が前記第１のピーク波長の相対発光強度の５倍より小さく、前記第３のピーク波長の相対発光強度が前記第１のピーク波長の相対発光強度の２倍より小さくなるように構成されることが好ましい。
【００１３】
また上記構成において、前記白色光源部は、前記第１のピーク波長における相対発光強度の半値幅が３０ｎｍより短く、前記第２のピーク波長における相対発光強度の半値幅が３０ｎｍより短く、前記第２のピーク波長の相対発光強度が前記第１のピーク波長の相対発光強度の３倍より小さく、前記第３のピーク波長の相対発光強度が前記第１のピーク波長の相対発光強度の１倍より小さくなるように構成されることが好ましい。
【００１４】
また上記構成において、前記白色光源部は、前記第１のピーク波長における相対発光強度の半値幅が３０ｎｍより短く、前記第２のピーク波長における相対発光強度の半値幅が３０ｎｍより短く、前記第３のピーク波長における相対発光強度のその半値幅が８０ｎｍ〜１５０ｎｍの範囲とされ、前記第２のピーク波長の相対発光強度が前記第１のピーク波長の相対発光強度の３倍より小さく、前記第３のピーク波長の相対発光強度が前記第１のピーク波長の相対発光強度の２倍より小さくなるように構成されることが好ましい。
【００１５】
また上記構成において、前記白色光源部は、前記第１のピーク波長が４４０ｎｍ〜４６０ｎｍの範囲でそのピーク波長における相対発光強度の半値幅が３０ｎｍより短く、前記第２のピーク波長における相対発光強度の半値幅が３０ｎｍより短く、前記第３のピーク波長が６１０ｎｍ〜６２０ｎｍの範囲でそのピーク波長における相対発光強度の半値幅が８０ｎｍ〜９０ｎｍの範囲とされ、前記第２のピーク波長の相対発光強度が前記第１のピーク波長の相対発光強度の２倍より小さく、前記第３のピーク波長の相対発光強度が前記第１のピーク波長の相対発光強度の１倍より小さくなるように構成されることが好ましい。
【発明の効果】
【００１６】
本発明によれば、薄明視環境下での明るさ間を改善しながら、生体（人）へのメラトニン抑制作用及び誘虫性を抑えつつ、演色性を向上させることが可能な照明装置を提供することができる。
【図面の簡単な説明】
【００１７】
【図１】実施形態における照明装置の概略ブロック図。
【図２】明所視感における分光視感効率と、暗所視における分光視感効率と、メラトニン抑制アクションスペクトラムとの比較を表す説明図。
【図３】各条件Ａ〜Ｅと比較例１，２とでの効果（特性）の違いについて説明するための説明図。
【図４】条件Ａの照明装置におけるスペクトルの特性図。
【図５】条件Ｂの照明装置におけるスペクトルの特性図。
【図６】条件Ｃの照明装置におけるスペクトルの特性図。
【図７】条件Ｄの照明装置におけるスペクトルの特性図。
【図８】条件Ｅの照明装置におけるスペクトルの特性図。
【図９】比較例１の照明装置におけるスペクトルの特性図。
【図１０】比較例２の照明装置におけるスペクトルの特性図。
【図１１】別例における照明装置の概略ブロック図。
【発明を実施するための形態】
【００１８】
以下、本発明を具体化した一実施形態を図面に従って説明する。
図１に示すように、本実施形態の照明装置１０は、照光部１１と、この照光部１１を点灯させるための点灯回路１２とを備えている。
【００１９】
図１に示すように、照光部１１は、前記点灯回路１２と電気的に接続されて青色の光を発するＬＥＤ素子１１ａと、このＬＥＤ素子１１ａと所定の空隙を設けた状態で覆う蛍光体１１ｂとで構成されている。蛍光体１１ｂは、前記ＬＥＤ素子１１ａの光によって励起されて略青緑の波長域の光を発する第１蛍光体と、前記ＬＥＤ素子１１ａの光によって励起されて略赤又は橙色の波長域の光を発する第２蛍光体とを含有する。なお、第１蛍光体としては、一般式がＭ１−ａＳｉ２Ｏ２−１／２ｎＸｎＮ２：Ｅｕａで表される蛍光体であって、Ｍはストロンチウム（Ｓｒ）、バリウム（Ｂａ）及びカルシウム（Ｃａ）の少なくとも１つ以上の元素であり、Ｘは塩素（Ｃｌ）及び臭素（Ｂｒ）の少なくとも１つ以上の元素であり、ａは０．００５≦ａ≦０．１５であり、ｎは０．０２≦ｎ≦０．２であることが望ましい。また第２蛍光体としては、一般式（Ｌａ１−ｘ−ｙＥｕｘＳｍｙ）２Ｏ２Ｓ（但し、０．０１≦ｘ≦０．１５，０．０００１≦ｙ≦０．０３）で表わされるユーロピウム・サマリウム付活酸硫化ランタン蛍光体を用いることが望ましい。もしくは、請求項に規定の仕様にて励起発光する任意の蛍光体でも構わない。
【００２０】
そして、上記のように構成された照光部１１は点灯回路１２からの電力供給に基づいて、略白色に点灯される。
次に、本実施形態の照明装置１０の各条件の差異による各効果の違いについて図３〜図１１を用いて説明する。なお、本実施形態では、次の（Ａ）〜（Ｅ）と（比較例１）〜（比較例３）を条件としている。
【００２１】
ちなみに下記の条件で示す、Ｓ／Ｐ比とは薄明視下での視認性の性能評価指数である。Ｓ／Ｐ比は、例えば暗所視輝度をＬｓ、明所視輝度をＬｐ、光源（照光部）の分光放射強度をＳ（λ）、明所視での分光視感効率をＶ（λ）、暗所視での分光視感効率をＶ’（λ）とした場合に以下の式で算出することができる。
【００２２】
【数１】
0005927557.tif 000002
また、照光部１１による、単位明るさ当たりのメラトニン分泌抑制作用を表す生体作用度ａｍｓＶは、光源の分光放射強度をＸλ（λ）、メラトニン抑制アクションスペクトラムをＳｍｓ（λ）、明所視での分光視感効率をＶ（λ）とすると、以下の式で算出できる。
【００２３】
【数２】
0005927557.tif 000003
ここで、一般に街路灯として用いられる相関色温度５０００Ｋの三波長形蛍光灯ではａｍｓＶ＝０．７である。そして、本発明者らは、非特許文献１にて、夜間に相関色温度５０００Ｋの三波長形蛍光灯の光が人に曝露された場合、照明装置を消灯した場合と比較して有意にメラトニンの分泌が抑制されるとの報告をおこなっている。したがって、夜間に用いる照明装置１０としては少なくとも生体作用度ａｍｓＶが０．７以下である事が望ましいといえる。
【００２４】
また、図２に、暗所視及び明所視の分光視感効率Ｖ’（λ），Ｖ（λ）とメラトニン抑制アクションスペクトラムＳｍｓ（λ）とを示す。図２からわかるように、およそ５３０ｎｍで暗所視及び明所視の分光視感効率Ｖ’（λ），Ｖ（λ）が逆転するため、５３０ｎｍより短波長の光ではＳ／Ｐ比が高くなる。一方、およそ５１０ｎｍで明所視の分光視感効率Ｖ（λ）と、メラトニン抑制アクションスペクトラムＳms（λ）との値が逆転するため、５１０ｎｍより短波長の光では生体作用度ａｍｓＶの値が高くなる。そこで、５３０ｎｍよりも短波長の範囲のうち、生体作用度ａｍｓＶの値が高くなる範囲を避けた波長構成とすることで、Ｓ／Ｐ比が高く、生体作用度ａｍｓＶの低い光を得ることが可能となる。
【００２５】
また、下記の条件で示す誘虫性指数Ｉとは、光放射の誘虫性を示している。より具体的には、非特許文献２に示される光放射の各波長における昆虫の走光性の相対的な強さを表すＢｉｃｋｆｏｒｄの誘虫性曲線Ｒ（λ）と、標準分光視感効率Ｖ（λ）と、光源の分光特性Ｐ（λ）を用いて、下記の数式にて計算される。
【００２６】
【数３】
0005927557.tif 000004
そして以下に示す条件（Ａ）〜（Ｅ）においては上記のことを踏まえて条件設定を行っている。
【００２７】
・条件（Ａ）
青色の波長領域の光を発するＬＥＤ素子１１ａのピーク波長を４５０ｎｍとし、その半値幅を２０ｎｍ、すなわちピーク波長の半分の発光強度における光の波長範囲を２０ｎｍとする。そして、前記第１蛍光体の発光のピーク波長を５１５ｎｍとし、その半値幅を２０ｎｍとする。また、前記第２蛍光体の発光のピーク波長を６３０ｎｍとし、その半値幅を１００ｎｍとする。さらに、前記第１蛍光体の発光ピークの高さ（ピーク波長Ｐ２の発光強度）／ＬＥＤ素子１１ａの発光ピークの高さ（ピーク波長Ｐ１の発光強度）を２．９９とする。また、第１蛍光体の発光のピークの高さ／前記第２蛍光体の発光のピークの高さを２．２９とし、前記第２蛍光体の発光のピークの高さ（ピーク波長Ｐ３の発光強度）／ＬＥＤ素子１１ａの発光ピークの高さ（ピーク波長Ｐ１の発光強度）を１．３１とする。そして、色温度が約３９５５Ｋとなるように調光する。なお、このように構成された照光部１１のスペクトル特性を図４に示す。
【００２８】
・条件（Ｂ）
青色の波長域の光を発するＬＥＤ素子１１ａのピーク波長を４６０ｎｍとし、その半値幅を２０ｎｍとする。そして、前記第１蛍光体の発光のピーク波長並びに半値幅を条件（Ａ）と同様とする。また、前記第２蛍光体の発光のピーク波長を６３０ｎｍとし、その半値幅を１２０ｎｍとする。さらに、前記第１蛍光体の発光ピークの高さ／ＬＥＤ素子１１ａの発光ピークの高さを２．２８とし、第１蛍光体の発光のピークの高さ／前記第２蛍光体の発光のピークの高さを２．１９とし、前記第２蛍光体の発光のピークの高さ／ＬＥＤ素子１１ａの発光ピークの高さを１．０８とする。そして、色温度が約３９５５Ｋとなるように調光する。なお、このように構成された照光部１１のスペクトル特性を図５に示す。
【００２９】
・条件（Ｃ）
青色の波長域の光を発するＬＥＤ素子１１ａのピーク波長並びに半値幅を条件（Ｂ）と同様とする。そして、前記第１蛍光体の発光のピーク波長並びに半値幅を条件（Ａ）及び（Ｂ）と同様とする。また、前記第２蛍光体の発光のピーク波長を６２０ｎｍとし、その半値幅を１４０ｎｍとする。さらに、前記第１蛍光体の発光ピークの高さ／ＬＥＤ素子１１ａの発光ピークの高さを１．４１とし、第１蛍光体の発光のピークの高さ／前記第２蛍光体の発光のピークの高さを２．００とし、前記第２蛍光体の発光のピークの高さ／ＬＥＤ素子１１ａの発光ピークの高さを０．７１とする。そして、色温度が約４３４５Ｋとなるように調光する。なお、このように構成された照光部１１のスペクトル特性を図６に示す。
【００３０】
・条件（Ｄ）
青色の波長域の光を発するＬＥＤ素子１１ａのピーク波長並びに半値幅を条件（Ｂ）及び（Ｃ）と同様とする。そして、前記第１蛍光体の発光のピーク波長並びに半値幅を条件（Ａ）〜（Ｃ）と同様とする。また、前記第２蛍光体の発光のピーク波長を６５０ｎｍとし、その半値幅を１４０ｎｍとする。さらに、前記第１蛍光体の発光ピークの高さ／ＬＥＤ素子１１ａの発光ピークの高さを１．８７とし、第１蛍光体の発光のピークの高さ／前記第２蛍光体の発光のピークの高さを１．７６とし、前記第２蛍光体の発光のピークの高さ／ＬＥＤ素子１１ａの発光ピークの高さを１．０６とする。そして、色温度が約３８１３Ｋとなるように調光する。なお、このように構成された照光部１１のスペクトル特性を図７に示す。
【００３１】
・条件（Ｅ）
青色の波長域の光を発するＬＥＤ素子１１ａのピーク波長並びに半値幅を条件（Ａ）と同様とする。そして、前記第１蛍光体の発光のピーク波長並びに半値幅を条件（Ａ）〜（Ｃ）と同様とする。また、前記第２蛍光体の発光のピーク波長を６１０ｎｍとし、その半値幅を８０ｎｍとする。さらに、前記第１蛍光体の発光ピークの高さ／ＬＥＤ素子１１ａの発光ピークの高さを１．９６とし、第１蛍光体の発光のピークの高さ／前記第２蛍光体の発光のピークの高さを２．０７とし、前記第２蛍光体の発光のピークの高さ／ＬＥＤ素子１１ａの発光ピークの高さを０．８０とする。そして、色温度が約４２１８Ｋとなるように調光する。なお、このように構成された照光部１１のスペクトル特性を図８に示す。
【００３２】
（比較例１）
照光部として、一般照明として広く用いられている色温度が約５０００Ｋの白色蛍光灯と低誘虫フィルタとを用いる。このときの照光部は、色温度が４９６７Ｋ、色偏差Ｄｕｖが２．５１とされる。なお、このように構成された照光部１１のスペクトル特性を図９に示。
【００３３】
（比較例２）
照光部として、Ｓ／Ｐ比を高め薄明視環境での明るさ感向上が促される約８０００Ｋ（実測７９２３Ｋ）、色偏差Ｄｕｖが−７．４５のＬＥＤ素子を用いる。なお、このように構成された照光部１１のスペクトル特性を図１０に示す。
【００３４】
［条件Ａ〜Ｅと比較例１，２との比較］
ここで、例えば本実施形態の各照光部１１を前記条件（Ａ）〜（Ｅ）のいずれかに則した構成とすることで、以下の構成に適応した構成とされる。ＬＥＤ素子１１ａは、そのピーク波長が４４０ｎｍ〜４８０ｎｍの範囲で半値幅が５０ｎｍより狭い構成とされる。前記第１蛍光体を含有する蛍光体１１ｂは、青緑色の波長域におけるピーク波長が５０５ｎｍより長く半値幅が５０ｎｍより狭い構成とされる。前記第２蛍光体を含有する蛍光体１１ｂは、赤橙色の波長域におけるピーク波長が６１０ｎｍ〜６５０ｎｍの範囲で半値幅が８０ｎｍ〜２００ｎｍの範囲とされる。前記第１蛍光体の発光ピークの高さが前記青色発光ダイオードの発光ピークの６倍より小さく、前記第１蛍光体の発光ピークの高さが前記第２蛍光体の発光ピークの３倍より小さく、前記第２蛍光体の発光ピークの高さが前記青色発光ダイオードの発光ピークの３倍より小さい構成とされる。
【００３５】
上記のような構成とすることで、図３に示すように、道路灯やトンネル内の照明などの屋外照明装置の設計基準（色偏差±１０以内、平均演色評価数Ｒａ６０以上）を満足することができる。また、生体作用度ａｍｓＶを０．６６以下とすることができ、（比較例１）の生体作用度ａｍｓＶ＝０．６８及び（比較例２）の生体作用度ａｍｓＶ＝０．９４と比較して低い値を得ることができる。また、条件（Ａ）〜（Ｅ）に則した構成の照光部１１では薄明視環境下に非常に効果のあるＳ／Ｐ比を２．１０以上とすることができ、（比較例１）のＳ／Ｐ比＝１．９６及び（比較例２）のＳ／Ｐ比＝２．０７と比較して高い値を得ることができ、薄明視環境下での視認性を高めることができる。また、条件（Ａ）〜（Ｅ）に則した構成の照光部１１では、誘虫性指数Ｉを１１０以下とすることができ、（比較例１）の誘虫性指数Ｉ＝１１６及び（比較例２）の誘虫性指数Ｉ＝１３５と比較して、低減される。
【００３６】
［条件Ａと条件Ｂとの比較］
また、照光部１１を条件（Ｂ）に則した構成とすると、平均演色評価数Ｒａが７０以上である７３．９となり、条件（Ａ）に則した構成とした場合の平均演色評価数Ｒａ＝６５．１よりも高くできる。このため、被照射物の色の見えを、現在一般に広く普及している屋外照明と同等にすることができる。
【００３７】
［条件Ａと条件Ｃとの比較］
また、照光部１１を条件（Ｃ）に則した構成とすると、平均演色評価数Ｒａが８０以上である８６．４となり、条件（Ａ）に則した構成とした場合の平均演色評価数Ｒａ（＝６５．１）よりも高くできる。このため、例えば植栽などのより自然な色の見えが要求される部位の照明装置にも使用することが可能となる。
【００３８】
［条件Ａと条件Ｄとの比較］
また、照光部１１を条件（Ｄ）に則した構成とすると、色偏差Ｄｕｖが±５以内である１．１５となり、条件（Ａ）に則した構成とした場合の色偏差Ｄｕｖ（＝９．９８）よりも小さくできる。このため、照光部１１から照射される光の光色を黒体軌跡に近づけて自然な白色とすることができる。
【００３９】
［条件Ａと条件Ｅとの比較］
また、照光部１１を条件（Ｄ）に則した構成とすると、平均演色評価数Ｒａが７０以上である７９．４で、色偏差Ｄｕｖが±５以内である−２．４１とすることができる。これにより、条件（Ａ）に則した構成と比較して、被照射物の色の見え方をさらに向上させ、照光部１１から照射される光の光色を黒体軌跡に近づけて自然な白色とすることができる。
【００４０】
次に、本実施形態の特徴的な効果を記載する。
（１）青色の光を発するＬＥＤ素子１１ａとこのＬＥＤ素子１１ａの発光により励起される前記第１蛍光体及び第２蛍光体を含有する蛍光体１１ｂとを有する白色光源部としての照光部１１を備える。ＬＥＤ素子１１ａは、第１のピーク波長Ｐ１が４４０ｎｍ〜４８０ｎｍの範囲で半値幅が５０ｎｍより狭くなるように構成される。蛍光体１１ｂは、青緑色の波長域における第２のピーク波長Ｐ２が５０５ｎｍより長く半値幅が５０ｎｍより狭く、赤橙色の波長域における第３のピーク波長Ｐ３が６１０ｎｍ〜６５０ｎｍの範囲で半値幅が８０ｎｍ〜２００ｎｍの範囲となるように構成される。また、蛍光体１１ｂは、青緑波長域の第２のピーク波長Ｐ２発光強度が、ＬＥＤ素子１１ａの第１のピーク波長Ｐ１の発光強度の６倍より小さく、赤橙色波長域の第３のピーク波長Ｐ３の３倍より小さい構成とされる。更に蛍光体１１ｂは、赤橙色波長域の第３のピーク波長Ｐ３の発光強度が、ＬＥＤ素子１１ａの第１のピーク波長Ｐ１の発光強度の３倍より小さい構成とされる。このような構成とすることで、Ｓ／Ｐ比を２．１０以上として夜間の道路などの薄明視環境における明るさ感を向上させることができる。更に、生体（人）へのメラトニン抑制作用度と誘虫性を、比較例１の従来構成よりも低くでき、平均演色評価数Ｒａを６０以上として演色性を十分に満足することができる。また、同構成とすることで色偏差Ｄｕｖも±１０以内とすることができる。
【００４１】
（２）ＬＥＤ素子１１ａはそのピーク波長Ｐ１が４４０ｎｍ〜４７０ｎｍの範囲とし、蛍光体１１ｂは第３のピーク波長Ｐ３における半値幅が８０ｎｍ〜１９０ｎｍの範囲とされる。蛍光体１１ｂは、第２のピーク波長Ｐ２における発光強度がＬＥＤ素子１１ａの第１のピーク波長Ｐ１の５倍より小さく、赤橙色の波長域の第３のピーク波長における発光強度がＬＥＤ素子１１ａの第１のピーク波長Ｐ１の発光強度の２倍より小さい設定とされる。このような構成とすることで、平均演色評価数Ｒａを７０以上として演色性をさらに改善させることができる。
【００４２】
（３）ＬＥＤ素子１１ａはその半値幅が３０ｎｍより短く、蛍光体１１ｂは青緑色の波長域の第２のピーク波長Ｐ２の発光強度における半値幅が３０ｎｍより短く構成される。また蛍光体１１ｂは、青緑色の波長域の第２のピーク波長Ｐ２の発光強度がＬＥＤ素子１１ａの第１のピーク波長Ｐ１の発光強度の３倍より小さく、赤橙色の波長域の第３ピーク波長Ｐ３の発光強度がＬＥＤ素子１１ａの第１のピーク波長Ｐ１の発光強度より小さい設定とされる。このような構成とすることで、平均演色評価数をＲａ８０以上として色の見えの忠実性が要求される照明の必要仕様として、ＪＩＳ  Ｚ９１１０に規定を満足することができる。
【００４３】
（４）ＬＥＤ素子１１ａはその半値幅が３０ｎｍより短く構成される。また、蛍光体１１ｂは青緑色の波長域の第２のピーク波長Ｐ２の発光強度における半値幅が３０ｎｍより短く、赤橙色の波長域の第３のピーク波長Ｐ３の発光強度における半値幅が８０ｎｍ〜１５０ｎｍの範囲とされる。また、蛍光体１１ｂは、青緑色の波長域の第２のピーク波長Ｐ２の発光強度がＬＥＤ素子１１ａの第１のピーク波長Ｐ１の発光強度の３倍より小さい設定とされる。さらに蛍光体１１ｂは、赤橙色の波長域の第３のピーク波長Ｐ３の発光強度がＬＥＤ素子１１ａの第１のピーク波長Ｐ１の発光強度の２倍より小さい設定とされる。このような構成とすることで、発光色がほぼ黒体燃焼時の発光と同等となるＤｕｖ±５以下とすることができる。これにより、より自然な色合いの白色光を照射することができる。
【００４４】
（５）ＬＥＤ素子１１ａはその第１のピーク波長Ｐ１が４４０ｎｍ〜４６０ｎｍの範囲で半値幅が３０ｎｍより短く設定される。蛍光体１１ｂは青緑色の波長域の第２のピーク波長Ｐ２の発光強度における半値幅が３０ｎｍより短く、赤橙色波長域の第３のピーク波長Ｐ３が６１０ｎｍ〜６２０ｎｍの範囲で半値幅が８０ｎｍ〜９０ｎｍの範囲とされる。蛍光体１１ｂは、青緑色の波長域の第２のピーク波長Ｐ２の発光強度がＬＥＤ素子１１ａの第１のピーク波長Ｐ１の発光強度の２倍より小さい設定とされる。蛍光体１１ｂは、赤橙色の波長域の第３のピーク波長Ｐ３の発光強度がＬＥＤ素子１１ａの第１のピーク波長Ｐ１の発光強度より小さい設定とされる。このような構成とすることで、発光色がほぼ黒体燃焼時の発光と同等となるＤｕｖ±５以下としつつ平均演色評価数ＲａをＲａ７０以上とすることができる。
【００４５】
尚、本発明の実施形態は、以下のように変更してもよい。
・上記実施形態では、ＬＥＤ素子１１ａと蛍光体１１ｂとの間に所定の空隙を設ける構成としたが、ＬＥＤ素子１１ａに蛍光体を塗布する構成を採用してもよい。
【００４６】
・上記実施形態では、１つのＬＥＤ素子１１ａと蛍光体１１ｂとで照光部１１を構成したが、これに限らず、仕様等に合わせて適宜変更してもよい。略白色に点灯する照光部１１の変形例としては、次のような構成が考えられる。但し、本発明が適用可能なものであればこれに限らない。
【００４７】
図１１に示すように、青色のＬＥＤ素子２２ａ及びこの素子２２ａを覆って赤橙色に発光させる蛍光体２２ｂと、青色のＬＥＤ素子２３ａ及びこの素子２３ａを覆って青緑色に発光させる蛍光体２３ｂと、青色のＬＥＤ素子２４とで照光部１１を構成してもよい。
【符号の説明】
【００４８】
１０…照明装置、１１…白色光源部としての照光部、１１ａ…青色発光ダイオードとしてのＬＥＤ素子、１１ｂ…第１蛍光体及び第２蛍光体を含有する蛍光体、２２ｂ…蛍光体、２３ｂ…蛍光体。
【図１】
0005927557.tif 000005
【図２】
0005927557.tif 000006
【図３】
0005927557.tif 000007
【図４】
0005927557.tif 000008
【図５】
0005927557.tif 000009
【図６】
0005927557.tif 000010
【図７】
0005927557.tif 000011
【図８】
0005927557.tif 000012
【図９】
0005927557.tif 000013
【図１０】
0005927557.tif 000014
【図１１】
0005927557.tif 000015